(57)【特許請求の範囲】
【請求項１】
横長のボディの長手方向に複数のコンタクトが所定間隔で組み込まれており、各コンタクトが、相手方コネクタの複数の相手方コンタクトとの弾性接触のための弾性変形部として略Ｕ字状の蛇行湾曲部を中間部に有する多極コネクタにおいて、
前記コンタクトの各蛇行湾曲部の内側のほぼ中央部を通って前記ボディの長手方向に延在するアース部材を具備しており、
前記蛇行湾曲部は、第１直線部と、この第１直線部の両端から略平行に延びる第２、第３直線部とを有しており、
前記コンタクトが前記相手方コンタクトに弾性接触し、前記蛇行湾曲部が弾性変形した状態で、前記第１、第２、第３直線部が前記アース部材からほぼ等距離に位置する多極コネクタ。
【請求項２】
請求項１に記載の多極コネクタにおいて、
前記蛇行湾曲部は、コンタクトの一端部に形成された接点部と他端部に形成された基板実装部との間の中間部分に形成されており、
前記中間部分における前記蛇行湾曲部以外の部分の少なくとも一部は、当該一部から前記基板までの距離が前記蛇行湾曲部から前記アース部材までの距離にほぼ等しくなるように構成されている多極コネクタ。
【請求項３】
請求項１に記載の多極コネクタにおいて、
前記アース部材は、前記ボディ中にインサート成形により組み込まれている多極コネクタ。
【請求項４】
請求項１に記載の多極コネクタにおいて、
前記ボディは基板実装型のレセプタクルボディであり、当該ボディに被さる前記相手方コネクタであるコネクタプラグと組み合わされることを特徴とする多極コネクタ。
【請求項５】
請求項１〜４のいずれかに記載の多極コネクタにおいて、
前記ボディは、長手方向に間隔をあけて設けられており且つ前記コンタクトが各々挿入された略逆Ｕ字状の複数のコンタクト挿入凹部と、このコンタクト挿入凹部の内側に設けられた凸部とを有しており、
前記アース部材は、前記凸部内に設けられており、
前記第３直線部が前記凸部に当接し、前記第１、第２直線部が前記凸部に間隙を有して配置されており、
前記蛇行湾曲部が弾性変形すると、前記第２直線部が前記凸部側に接近し、前記第１、第２、第３直線部から前記アース部材までの距離がほぼ等距離となる多極コネクタ。
【請求項６】
横長のボディの長手方向に複数のレセプタクルコンタクトが所定間隔で組み込まれており、各レセプタクルコンタクトが、コネクタプラグのプラグコンタクトとの弾性接触のための弾性変形部として蛇行湾曲部を中間部に有する多極コネクタにおいて、
複数のレセプタクルコンタクトの各蛇行湾曲部の内側を通って前記ボディの長手方向に延在するアース部材を具備しており、
前記ボディは基板実装型のレセプタクルボディであり、当該ボディに被さる前記コネクタプラグと組み合わされており、
前記コネクタプラグは、複数個のレセプタクルコンタクトに対応する前記プラグコンタクトをプラグボディに装備すると共に、前記プラグボディを覆うシールド部材を装備しており、
各プラグコンタクトは、前記レセプタクルコンタクトと接触する第１接点部を一端部に有すると共に、他端部にケーブルと接続される第２接点部を有しており、
前記第１接点部及び前記第２接点部から前記シールド部材までの各距離が、前記レセプタクルコンタクトにおける蛇行湾曲部から前記アース部材までの距離にほぼ等しくなるように構成されている多極コネクタ。
【請求項７】
請求項６に記載の多極コネクタにおいて、
第１接点部と第２接点部を繋ぐ部分の少なくとも一部は、当該一部から前記シールド部材までの距離がレセプタクルコンタクトにおける蛇行湾曲部から前記アース部材までの距離にほぼ等しくなるように構成されている多極コネクタ。
【請求項８】
請求項１〜７のいずれかに記載の多極コネクタを備えた携帯型無線端末又は小型電子機器。
【発明の詳細な説明】
【技術分野】
【０００１】
本発明は、携帯電話に代表される携帯型無線端末やノート型パソコンに代表される小型電子機器等に使用されるコネクタ、より詳しくは、横長のボディの長手方向に複数のコンタクトが所定間隔で組み込まれた多極コネクタ及び多極コネクタを使用した携帯型無線端末又は小型電子機器に関する。
【背景技術】
【０００２】
携帯電話やノート型パソコンにおいては、液晶表示装置等に接続されたケーブルをマザーボード上の基板に接続するために、多極基板実装型のコネクタが使用されている。この型式のコネクタは、例えば特許文献１〜３に記載されているように、複数本のケーブルがアッセンブリされる横長のコネクタプラグと、これが嵌合する横長の基板実装型レセプタクルとの組合せからなる。
【０００３】
【特許文献１】特開２０００−３３１７３１号公報
【特許文献２】特開２００５−７１６６９号公報
【特許文献３】特開２００５−１１６４４７号公報
【０００４】
横長のコネクタプラグは通常、横長のレセプタクルに被さるキャップ型式になっており、長手方向（横幅方向）に所定間隔で配列された多数個のプラグコンタクトを有している。多数個のプラグコンタクトは、アッセンブリされた多数本のケーブルと電気的に接続されている。一方、レセプタクルは、多数個のプラグコンタクトに対応するように長手方向（横幅方向）に所定間隔で配列された多数個のレセプタクルコンタクトを有している。多数個のレセプタクルコンタクトは、横長の樹脂ボディの長手方向に所定間隔で形成された長手方向に直角なスリット状の挿入部に挿入されており、各レセプタクルコンタクトの一端部は対応するプラグコンタクトに圧接する接点部である。また、他端部は基板実装部であり、基板表面に形成された配線パターンに半田付けなどにより接合される。
【０００５】
そして通常は、プラグコンタクトとの弾性接触を確実とするために、接点部と基板実装部との間に、弾性変形部としての蛇行湾曲部が設けられている。
【０００６】
基板表面に実装されたレセプタクルにコネクタプラグを装着することにより、レセプタクル内の多数個のレセプタクルコンタクトの各蛇行湾曲部などが弾性変形し、その復元力により、多数個のレセプタクルコンタクトがコネクタプラグ内の対応するプラグコンタクトに圧接する。これにより、コネクタプラグにアッセンブリされた多数本のケーブルが、基板表面に形成された配線パターンに電気的に接続される。
【０００７】
このような多極基板実装型のコネクタにおいては、レセプタクルの基板との接合強度の確保やシールドなどを目的として、レセプタクルボディの両端部、即ちレセプタクルコンタクト群の両側に、実装端子を兼ねるグランド端子が設けられる。しかしながら、両端のグランド端子の間に多数個のレセプタクルコンタクトが配置されるために、レセプタクルコンタクトの配置位置によって、コンタクトからグランド端子までの距離に差が生じる。すなわち、ボディの両端部に配置されたコンタクトはグランド端子に近く、両端部から離れて中央部に近づくほどグランド端子までの距離は増大する。その結果、コンタクト間でインピーダンス特性に差が生じ、次のような問題を発生させることになる。
【０００８】
高速デジタル信号処理のために、コネクタ通過域でのインピーダンス特性の整合が求められるが、差動伝送を行う場合、２本のライン間のスキュー（電気的な長さの差）が大きくなると、差動伝送路の伝送特性が低下する。また、複数の差動ラインにより電気信号を伝送する場合、差動ペア間でスキューが大きくなると、受信側での処理にエラーが多くなる危険がある。前述した従来構造の場合、コンタクト間でインピーダンス特性に差が生じるために、スキューが大きくなり、差動ペア間のスキューも大きくなる。その結果、前述した伝送特性の低下や受信側でのエラー増加といった問題が発生する。
【０００９】
この問題を解決するために、従来は差動ペア用の２極の両側にあるコンタクトをグランド端子に使用して両極間でインピーダンス特性の整合を図っているが、必要なコンタクト数が増加し、部品点数が増加するだけでなく、コネクタが長手方向（コンタクト配列方向）で大型化する。
【００１０】
これに加えて、高速デジタル信号処理では、基板配線、ケーブル配線及びコネクタ配線は、単なる接続線ではなく、信号伝送路と考えること必要であり、信号伝送路とグランドとの位置関係を一定にする配慮が必要となる。すなわち、コンタクト配列方向だけでなく、コンタクト配列方向に直角な方向においても、コンタクトとグランドとの位置関係を一定に保ち、インピーダンス特性を均一化することが必要である。
【００１１】
しかしながら、従来の基板実装型レセプタクルにおいては、前述したとおり、プラグ側の対応するコンタクトとの弾性接触を確実ならしめるために、レセプタクルコンタクトの中間部に蛇行湾曲部が設けられていることが多い。その結果、この蛇行湾曲部でグランドとの位置関係が大きく変化し、これによってもインピーダンス特性の不整合に起因する問題が生じる。
【発明の開示】
【発明が解決しようとする課題】
【００１２】
本発明はかかる事情に鑑みて創案されたものであり、コンタクト数が多い場合にもコンタクト配列方向でインピーダンス特性の整合を図ることができる多極コネクタ及び多極コネクタを使用した携帯型無線端末又は小型電子機器を提供することを目的とする。
【００１３】
本発明の別の目的は、コンタクト中間部に弾性変形部としての蛇行湾曲部を有するにもかかわらず、この部分でコンタクトとグランドの間の位置関係を可及的に一定に保ち、コンタクト配列方向に直角な方向でインピーダンス特性の整合を図ることができる多極コネクタを提供することにある。
【課題を解決するための手段】
【００１４】
上記目的を達成するために、本発明に係る多極コネクタは、横長のボディの長手方向に複数のコンタクトが所定間隔で組み込まれており、各コンタクトが、相手方コネクタの複数の相手方コンタクトとの弾性接触のための弾性変形部として略Ｕ字状の蛇行湾曲部を中間部に有する多極コネクタにおいて、前記コンタクトの各蛇行湾曲部の内側のほぼ中央部を通って前記ボディの長手方向に延在するアース部材を具備しており、前記蛇行湾曲部は、第１直線部と、この第１直線部の両端から略平行に延びる第２、第３直線部とを有しており、前記コンタクトが前記相手方コンタクトに弾性接触し、前記蛇行湾曲部が弾性変形した状態で、前記第１、第２、第３直線部が前記アース部材からほぼ等距離に位置するようになっている。
【００１５】
本発明に係る多極コネクタにおいては、複数のコンタクトの各蛇行湾曲部の内側を通ってボディの長手方向に延在するアース部材が設けられていることにより、コンタクト配列方向において、複数のコンタクトとグランドとの位置関係が一定になり、コンタクト間でインピーダンス特性の整合が図られる。また、複数のコンタクトの各蛇行湾曲部で、コンタクトとグランドの位置関係が均等化され、コンタクト配列方向に直角な方向でもインピーダンス特性の整合が図られる。
【００１７】
アース部材は又、ボディ中にインサート成形により組み込むのが好ましい。これにより、ボディに溝等を設ける必要がなくなり、ボディの強度低下による反りの防止等が可能になる。また、アース部材とコンタクトとを接近させるための薄肉化も可能となり、アース部材の配置位置に関する自由度が大きくなる。
【００１８】
本発明に係る多極コネクタは、基板実装型として好適であり、特にコネクタプラグと組み合わされるレセプタクルにその構造は好適である。
【００１９】
本発明に係る多極コネクタにおいては、コンタクトの蛇行湾曲部についてインピーダンス特性の整合を図ることを主眼とするが、蛇行湾曲部は通常コンタクトの一端部に形成された接点部と他端部に形成された基板実装部との間の中間部分に形成されており、前記中間部分における蛇行湾曲部以外の部分の少なくとも一部についても、当該一部から基板までの距離が前記蛇行湾曲部から前記アース部材までの距離にほぼ等しくなるように構成するのが好ましい。これにより、コンタクト配列方向に直角な方向におけるインピーダンス特性の整合性が更に向上する。
【００２０】
本発明に係る別の多極コネクタは、横長のボディの長手方向に複数のレセプタクルコンタクトが所定間隔で組み込まれており、各レセプタクルコンタクトが、コネクタプラグのプラグコンタクトとの弾性接触のための弾性変形部として蛇行湾曲部を中間部に有する多極コネクタにおいて、複数のレセプタクルコンタクトの各蛇行湾曲部の内側を通って前記ボディの長手方向に延在するアース部材を具備しており、前記ボディは基板実装型のレセプタクルボディであり、当該ボディに被さる前記コネクタプラグと組み合わされており、前記コネクタプラグは、複数個のレセプタクルコンタクトに対応する前記プラグコンタクトをプラグボディに装備すると共に、前記プラグボディを覆うシールド部材を装備しており、各プラグコンタクトは、前記レセプタクルコンタクトと接触する第１接点部を一端部に有すると共に、他端部にケーブルと接続される第２接点部を有しており、前記第１接点部及び前記第２接点部から前記シールド部材までの各距離が、前記レセプタクルコンタクトにおける蛇行湾曲部から前記アース部材までの距離にほぼ等しくなるように構成されている。
【００２１】
第１接点部と第２接点部を繋ぐ部分の少なくとも一部は、当該一部から前記シールド部材までの距離がレセプタクルコンタクトにおける蛇行湾曲部から前記アース部材までの距離にほぼ等しくなるように構成するのが更に好ましい。これにより、コンタクト配列方向に直角な方向におけるインピーダンス特性の整合性が更に向上する。
【発明の効果】
【００２２】
本発明に係る多極コネクタは、複数のコンタクトの各蛇行湾曲部の内側を通ってボディの長手方向に延在するアース部材を具備することにより、コンタクト数が多い場合も各コンタクトとグランドとの位置関係を一定にし、コンタクト間、すなわちコンタクト配列方向でのインピーダンス特性の整合を図ることができる。また、各コンタクトが蛇行湾曲部を有するので、対応するコンタクトとの接触状態が良好であり、それにもかかわらず、蛇行湾曲部でコンタクトとグランドとの位置関係が均等化され、コンタクト配列方向に直角な方向でもインピーダンス特性の整合を図ることができる。そして、これら２つのインピーダンス制御により、インピーダンス特性の不整合に起因する諸問題を効果的に解決し、高速デジタル信号の安定伝送に寄与する。また、アース部材によりボディを強化できるとか、アース部材が蛇行湾曲部の内側に配置されるためにボディの大型化が回避されるといった効果も、本発明に係る多極コネクタは奏する。
【００２３】
そして、このような特徴をもつ本発明に係る多極コネクタを携帯型無線端末又は小型電子機器に使用すれば、これらの機器は高速デジタル信号の伝送特性に優れ、合わせて経済性、信頼性にも優れたものになる。
【発明を実施するための最良の形態】
【００２４】
以下に本発明の実施形態を図面に基づいて説明する。図１は本発明の一実施形態を示す多極コネクタの斜視図、図２は同コネクタにおけるレセプタクルの斜視図、図３は同レセプタクルの縦断側面図、図４は同レセプタクルをプラグを組み合わせた状態の縦断側面図である。
【００２５】
本実施形態に係る多極コネクタは、携帯電話やノート型パソコンにおける液晶表示装置とマザーボード上の基板との接続などに使用される基板実装型のコネクタである。このコネクタは、基板の表面に実装される横長のレセプタクル１００と、これに装着される横長のコネクタプラグ２００とからなる。コネクタプラグ２００には、横に並ぶ複数本の同軸ケーブル３００が正面側から挿入されて接続されている。
【００２６】
基板の表面に実装されるレセプタクル１００は、樹脂からなる横長のレセプタクルボディ１１０と、これに保持された多数個のレセプタクルコンタクト１２０と、レセプタクルボディ１１０内に長手方向の全長にわたって埋設された横長のアース部材１３０とを備えている。
【００２７】
レセプタクルボディ１１０は横に長い直方体であり、長手方向に所定間隔で形成された多数個のコンタクト挿入部１１１（コンタクト挿入凹部）を有している。コンタクト挿入部１１１はボディ１１０の長手方向に直角なスリット状の凹部であり、ボディ１１０の両端部及び中央部を除く部分に設けられている。各挿入部１１１は、正面側の深い凹部１１２と、ボディ１１０の凸部１１５の上に形成された背面側の浅い部分１１３と、その更に背面側の貫通部１１４とからなり、正面側の凹部１１２は、レセプタクルコンタクト１２０を突出させるために正面側に開口している。
【００２８】
レセプタクルコンタクト１２０は、正面側のほぼ垂直な接点部１２１と、接点部１２１の背面側に連接された上に凸の蛇行湾曲部１２２と、これらを繋ぐ水平な接続部１２３と、蛇行湾曲部１２２の背面側に連続して設けられた基板実装部１２４とからなる。接点部１２１は、プラグ２００の側の対応するコンタクトとの接触性を高めるために、正面側へ凸の「く」の字状に折れ曲がって、挿入部１１１の正面側へ突出している。
【００２９】
蛇行湾曲部１２２は、水平部１２２ａ（第１直線部）とその両端部から下方へ延出した一対の垂直部１２２ｂ，１２２ｃ（第２、第３直線部）とからなる逆Ｕ状の角形湾曲部であり、ボディ１１０の凸部１１５に被さるようにして挿入部１１１に挿入されている。これにより、正面側の垂直部１２２ｂは、その下端部と接点部１２１の下端部を繋ぐ水平な接続部１２３と共に、挿入部１１１の深い凹部１１２に嵌合しており、水平部１２２ａは凸部１１５の上の浅い部分１１３に嵌合している。また、背面側の垂直部１２２ｃは貫通部１１４に嵌合している。
【００３０】
基板実装部１２４は、垂直部１２２ｃの下端部から背面側へ突出しており、更に基板との接続のためにボディ１１０から背面側へ突出している。基板実装部１２４の下面はボディ１１０の下面と同レベルである。
【００３１】
横長のアース部材１３０は、銅板などの板状導電性材料からなり、ボディ１１０内にインサート成形により長手方向に貫通して埋設されており、その両端部は実装端子部１３１，１３１として、ボディ１１０の両端側に突出している。アース部材１３０の両端部を除く埋設部分は、ボディ１１０の凸部１１５を貫通する位置に配置されており、より詳しくは、凸部１１５に被さる蛇行湾曲部１２２の水平部１２２ａ及び垂直部１２２ｂ，１２２ｃの３部分から等距離となる凸部１１５の中央部分に位置するように配置されている。
【００３２】
両端の実装端子部１３１，１３１は、基板の表面への実装のために、レセプタクルコンタクト１２０の基板実装部１２４同様に、ボディ１１０の底面と同一レベルに位置している。
【００３３】
コネクタプラグ２００は、基板表面に実装された前記レセプタクル１００に上方から被さる横長のキャップである。このコネクタプラグ２００は、樹脂からなる横長のプラグボディ２１０と、プラグボディ２１０内にインサート成形により組み合わされた多数個のプラグコンタクト２２０と、プラグボディ２１０にプラグコンタクト２２０と共にインサート成形により組み合わされた第１シールド部材２３０と、プラグボディ２１０に嵌合により組み合わされる第２シールド部材２４０とを備えている。両シールド部材２３０，２４０はアルミニウム板からなる。
【００３４】
プラグボディ２１０は、レセプタクル１００が嵌合する横長のレセプタクル嵌合部２１１を下面に有している。多数個のプラグコンタクト２２０は、レセプタクルコンタクト１２０に対応してボディ２１０の長手方向に所定間隔で配列されている。
【００３５】
各プラグコンタクト２２０は、レセプタクルコンタクト１２０の接点部１２１と接触するように嵌合部２１１の内壁面（レセプタクルボディ１１０の正面に対向する正面側の内壁面）に露出した垂直な第１接点部２２１を一端部に有している。各プラグコンタクト２２０の他端部は、同軸ケーブル３００の芯線３１０との接続のために、ボディ２１０の背面側の上面に露出した水平な第２接点部２２２である。垂直な第１接点部２２１は、嵌合部２１１の天井面に露出する水平接続部２２３、その先端から背面側へ傾斜して延出する傾斜接続部２２４を介して上方の水平な第２接点部２２２に接続されており、傾斜接続部２２４はプラグボディ２１０中に完全に埋設されている。
【００３６】
第１シールド部材２３０は、ボディ２１０の正面及び正面側の上面を覆う断面が逆Ｌ字状のシールドケースであり、ボディ２１０の正面に露出する垂直面部２３１と、ボディ２１０の正面側の上面に露出する水平面部２３２とから構成されている。
【００３７】
第２シールド部材２４０は、プラグボディ２１０の背面及びプラグボディ２１０の上面全体を覆う断面が逆Ｌ字状のシールドカバーであり、プラグボディ２１０の背面に当接する垂直面部２４１と、垂直面部２４１の上端部から正面側へ水平に延出した水平面部２４２とから構成されている。水平面部２４２は、プラグボディ２１０の上面との間に、同軸ケーブル３００が挿入されるケーブル収容部２４３を形成する。
【００３８】
同軸ケーブル３００は、その被覆カバー３３０を除去して接地線３２０を露出させた状態でケーブル収容部２４３に挿入される。挿入部の先端部分では、芯線３１０が露出している。そして、挿入部の露出した接地線３２０を一括半田部４００により第１シールド部材２３０の水平面部２３２及び第２シールド部材２４０の水平面部２４２に一括して半田付けすることによりグランドバーを形成している。先端部分の露出した芯線３１０は、対応するプラグコンタクト２２０の第２接点部２２２に半田付けにより接合されている。
【００３９】
次に、本実施形態に係る多極コネクタの使用方法及び機能について説明する。
【００４０】
レセプタクル１００を基板の表面に実装する。具体的には、多数個のレセプタクルコンタクト１２０の各基板実装部１２４を基板表面の対応するパターンに半田付けにより接合する。これと共に、レセプタクルボディ１１０を長手方向に貫通するアース部材１３０の両端の実装端子部１３１，１３１を基板表面のグランドパターンに半田付けにより接合する。レセプタクルコンタクト１２０の各基板実装部１２４以外に、アース部材１３０の両実装端子部１３１，１３１を基板表面に接合するので、優れた接合強度が確保される。しかも、両実装端子部１３１，１３１はアース部材１３０の一部であり、一部品であるので、部品点数の増加が回避される。
【００４１】
また、そのアース部材１３０はレセプタクルボディ１１０にインサート成形されているので、レセプタクル１００の組立工程で実装端子部１３１，１３１をレセプタクルボディ１１０に取り付ける必要がない。レセプタクル１００の組立工程で取り付けを行うのはレセプタクルコンタクト１２０のみである。これにより、１工程でレセプタクル１００の組立を終えることができ、２工程で問題になる工程間の移動による時間的ロスや部品変形が防止される。
【００４２】
機器組立では、基板の表面に実装されたレセプタクル１００に、同軸ケーブル３００が接続されたコネクタプラグ２００が装着される。具体的には、コネクタプラグ２００のボディ下面に形成されたレセプタクル嵌合部２１１にレセプタクル１００が嵌合するように、レセプタクル１００にコネクタプラグ２００を被せる。
【００４３】
レセプタクル１００にコネクタプラグ２００が装着されると、レセプタクル１００における多数個のレセプタクルコンタクト１２０の各接点部１２１が、コネクタプラグ２００において対応するプラグコンタクト２２０の第１接点部２２１に圧接する。このとき、レセプタクルコンタクト１２０では、接点部１２１と共に、弾性変形部である上に凸状の蛇行湾曲部１２２が弾性変形する。これらによる反発力により、確実な電気的接触が得られる。
【００４４】
そして、この電気的接触により、同軸ケーブル３００の芯線３１０が、プラグコンタクト２２０及びレセプタクルコンタクト１２０を介して基板上の対応するパターンと電気的に接続される。また、並列する複数本の同軸ケーブル３００の各接地線３２０は、一括半田部４００を介して、プラグ２００を覆う第１シールド部材２３０（シールドケース）及び第２シールド部材２４０（シールドカバー）と電気的に接続される。
【００４５】
ここで、レセプタクルボディ１１０に組み込まれた多数個のレセプタクルコンタクト１２０に注目するならば、ボディ１１０をアース部材１３０が長手方向、すなわちレセプタクルコンタクト１２０の配列方向に貫通している。このため、全てのレセプタクルコンタクト１２０はグランドに対して位置関係が同じになり、コンタクト配列方向におけるインピーダンス特性の整合が図られる。
【００４６】
しかも、このアース部材１３０は、各レセプタクルコンタクト１２０の蛇行湾曲部１２２が被さるボディ１１０の凸部１１５の中央部を貫通しており、より詳しくは、上に凸の角形状の蛇行湾曲部１２２を構成する水平部１２２ａ及び垂直部１２２ｂ，１２２ｃの３部分から等距離となる部分に配置されている。上に凸の角形状の蛇行湾曲部１２２は、レセプタクルコンタクト１２０の弾性接触のために重要な部分であるが、必然的にこの部分でコンタクト１２０が下の基板から離れる。
【００４７】
レセプタクルコンタクト１２０は、高速デジタル信号の伝送では、プラグコンタクト２２０と共に信号伝送線路を構成する。すなわち、これらは単なる接続線ではなく、信号伝送線路となるのである。このため、レセプタクルコンタクト１２０の各部もグランドからの位置関係が一定になることが望まれるが、蛇行湾曲部１２２の部分では、レセプタクルコンタクト１２０が下の基板から離れるために、グランドとの位置関係が部分的に崩れる原因になる。しかるに、前記アース部材１３０は、蛇行湾曲部１２２を構成する水平部１２２ａ及び垂直部１２２ｂ，１２２ｃの３部分から等距離となる部分に配置されているため、大きく変形する蛇行湾曲部１２２の部分でも、グランドとの位置関係が一定に保たれる。その結果、多数個のレセプタクルコンタクト１２０は、それらの配列方向だけでなく、配列方向に直角な方向でもインピーダンス特性の整合が図られることになる。より具体的には、各レセプタクルコンタクト１２０での蛇行湾曲部１２２に起因する、コンタクト配列方向に直角な方向でのインピーダンス特性の不整合が解消される。
【００４８】
これに加え、本実施形態に係る多極コネクタでは、レセプタクルコンタクト１２０の正面側の接点部１２１と蛇行湾曲部１２２とを繋ぐ水平な接続部１２３からその下の平行な基板までの距離も、蛇行湾曲部１２２からアース部材１３０までの距離にほぼ等しくされている。また、接点部１２１が弾性接触するプラグコンタクト２２０の垂直な第１接点部２２１から、その正面側に平行に配置された第１シールド部材２３０の垂直面部２３１までの距離も、蛇行湾曲部１２２からアース部材１３０までの距離にほぼ等しくされている。
【００４９】
すなわち、個々のレセプタクルコンタクト１２０は、蛇行湾曲部１２２の部分だけでなく、基板と接合される基板実装部１２４を除く全ての部分で、グランドとの位置関係が一定に保たれ、インピーダンス特性の整合が図られているのである。したがって、レセプタクルコンタクト１２０での伝送特性が優れる。
【００５０】
また、プラグ２００の側のコンタクト２２０に注目するならば、前述したとおり、第１接点部２２１から、その正面側に平行に配置された第１シールド部材２３０の垂直面部２３１までの距離が、蛇行湾曲部１２２からアース部材１３０までの距離にほぼ等しくされている。更に、同軸ケーブル３００の芯線３１０と接続される水平な第２接点部２２２についても、その上に平行に配置された第２シールド部材２４０の水平面部２４２までの距離が、蛇行湾曲部１２２からアース部材１３０までの距離にほぼ等しくされている。その上、第１接点部２２１と第２接点部２２２を繋ぐ水平接続部２２３についても、その上に平行に配置された第１シールド部材２３０の水平面部２３２までの距離が、蛇行湾曲部１２２からアース部材１３０までの距離にほぼ等しくされている。
【００５１】
すなわち、個々のプラグコンタクト２２０は、傾斜接続部２２４を除く全ての部分で、シールド部材（グランド）との位置関係が一定に保たれ、インピーダンス特性の整合が図られているのである。したがって、レセプタクルコンタクト１２０だけでなく、プラグコンタクト２２０での伝送特性も優れる。なお、第１シールド部材２３０及び第２シールド部材２４０は、レセプタクル１００へのプラグ２００の装着に伴い、レセプタクル１００の側のアース部材１３０を介して接地される。
【００５２】
上記実施形態では、レセプタクルコンタクト１２０は全て同じ方向を向いた１列配置であるが、接点部１２１が向き合う２列配置等でもよく、レセプタクルコンタクト１２０及びプラグコンタクト２２０の配列形態や各形状については上記実施形態に限定するものではない。
【図面の簡単な説明】
【００５３】
【図１】本発明の一実施形態を示す多極コネクタの斜視図である。
【図２】同多極コネクタにおけるレセプタクルの斜視図である。
【図３】同レセプタクルの縦断側面図である。
【図４】同レセプタクルとプラグを組み合わせた多極コネクタの縦断側面図である。
【符号の説明】
【００５４】
１００  レセプタクル
１１０  レセプタクルボディ
１２０  レセプタクルコンタクト
１２１  接点部
１２２  蛇行湾曲部
１２３  接続部
１２４  基板実装部
１３０  アース部材
１３１  実装端子部
２００  コネクタプラグ
２１０  プラグボディ
２２０  プラグコンタクト
２２１  第１接点部
２２２  第２接点部
２２３  水平接続部
２２４  傾斜接続部
２３０  第１シールド部材
２４０  第２シールド部材
３００  同軸ケーブル
【図１】
0004722712.tif 000002
【図２】
0004722712.tif 000003
【図３】
0004722712.tif 000004
【図４】
0004722712.tif 000005